(57)【特許請求の範囲】
【請求項１】
供給体の使用可能量に相当する値を記憶した記憶媒体と、供給体の供給量を検出する供給量検出手段と、この供給量検出手段が検出した供給量の積算を行う制御手段と、この制御手段の制御により供給体の供給路を開閉する開閉手段と、前記記憶媒体に記憶された記憶値の読み込みや書き換えを行う読取手段と、外部からの信号を授受する外部入力手段とを有する供給制御システムにおいて、
前記制御手段は、前記外部入力手段からの入力に応じて供給制御機能の有効と無効を切り換えることができることを特徴とする、供給制御システム。
【請求項２】
供給体の供給量を計測し積算するとともに、供給体の供給路を開閉する計測装置と、この計測装置の供給量の制御を行う制御装置と、供給体の使用可能量に相当する値を記憶した記憶媒体とからなり、
前記計測装置は、供給体の供給量を検出する供給量検出手段と、この供給量検出手段が検出した供給量の積算を行う計量制御手段と、前記制御装置との通信を行う通信手段と、供給路を開閉する開閉手段とを有し、
前記制御装置は、前記記憶媒体に記憶された記憶値の読み込みまたは書き換えを行う読取手段と、前記計測装置との通信を行う通信手段と、該通信手段および前記読取手段を制御する制御手段とを有する供給制御システムにおいて、
前記計測装置は、外部からの設定により供給制御機能の有効と無効を切り換えることができることを特徴とする、供給制御システム。
【請求項３】
供給体の供給量を計測し積算するとともに、供給体の供給路を開閉する計測装置と、この計測装置の供給量の制御を行う制御装置と、供給体の使用可能量に相当する値を記憶した記憶媒体とからなり、
前記計測装置は、供給体の供給量を検出する供給量検出手段と、この供給量検出手段が検出した供給量の積算を行う計量制御手段と、該計量制御手段の積算情報を前記制御装置へ送信する通信を行う通信手段と、供給路を開閉する開閉手段とを有し、
前記制御装置は、前記記憶媒体に記憶された記憶値の読み込みまたは書き換えを行う読取手段と、前記計測装置との通信を行う通信手段と、該通信手段および前記読取手段を制御する制御手段とを有する供給制御システムにおいて、
前記計測装置は、外部からの設定により、前記制御装置への積算情報出力機能の有効と無効を切り換えることができることを特徴とする、供給制御システム。
【請求項４】
供給体の供給量を計測し積算するとともに、供給体の供給路を開閉する計測装置と、この計測装置の供給量の制御を行う制御装置と、供給体の使用可能量に相当する値を記憶した記憶媒体とからなり、
前記計測装置は、供給体の供給量を検出する供給量検出手段と、この供給量検出手段が検出した供給量の積算等を行う計量制御手段と、前記制御装置との通信を行う通信手段と、供給路を開閉する開閉手段とを有し、
前記制御装置は、前記記憶媒体に記憶された記憶値の読み込みまたは書き換えを行う読取手段と、前記計測装置との通信を行う通信手段と、該通信手段および前記読取手段を制御する制御手段とを有する供給制御システムにおいて、
前記計測装置は、通信線の断線を検出する断線検出手段を有し、この断線検出手段が断線を検出したときは、開閉手段により供給路を遮断できる断線検知遮断機能を有するとともに、その断線検知遮断機能の有効と無効を外部からの設定により切り換えることができることを特徴とする、供給制御システム。
【発明の詳細な説明】
【０００１】
【発明の属する技術分野】
この発明は、ガスや水や温水や電気等の供給体を、磁気カードやＩＣカード等の記憶媒体に記憶されている使用可能量に相当する度数等に応じ、料金前払いで使用できるプリペイド式の供給制御システムに関する。
【０００２】
【従来の技術】
この種の供給制御システムは、磁気カードやＩＣカード等の記憶媒体に記憶されている度数を接触式または非接触式にて読み出して、ガスや水等の供給体の供給量を計量して度数を減算し、度数が０または規定度数以下になったとき、供給を自動的に停止する供給制御機能を有している。
【０００３】
このことから、プリペイド式の供給制御システムは、プリペイド用途以外、たとえば一般のガスメータや水道メータとしては使用できない。
【０００４】
また、たとえば特開平９−１８００５３号公報に記載されているように、ガス等の流量を計量して積算情報を出力する計測装置と、これを制御する制御装置とを分離してこれらを通信線にて接続し、制御装置において磁気カードやＩＣカード等の記憶媒体に記憶されている度数を読み出し、度数相当量だけガス等の供給が受けられるように計測装置を制御するようにした供給制御システムがある。
【０００５】
この場合、計測装置として一般のガスメータや水道メータを使用することは可能であるが、積算情報を常時出力する出力機能は無用な機能となり、計測装置の電池を無駄に消費してしまう。
【０００６】
さらに、上記のように計測装置と制御装置とが分離して使用される場合、計測装置と制御装置との間の通信線が切断されたとき、記憶媒体の度数とは無関係にガスや水等が使用されることを防止するために、計測装置に、通信線の断線を検出したら、供給体の供給を遮断する断線検知遮断機能を有するものもあるが、この場合も、計測装置をプリペイド用途以外、たとえば一般のガスメータや水道メータとしては使用できない。
【０００７】
そこで、この発明の目的は、度数減算による供給制御機能や積算情報の出力機能や断線検知機能を、有効または無効のいずれかに任意に切り換えることができるようにして、プリペイド用途以外、たとえば一般のガスメータや水道メータとして使用することも可能なプリペイド式供給制御システムを提供することにある。
【０００８】
【課題を解決するための手段】
請求項１に係る発明は、供給体の使用可能量に相当する度数等の値を記憶した記憶媒体と、供給体の供給量を検出する供給量検出手段と、この供給量検出手段が検出した供給量の積算を行う制御手段と、この制御手段の制御により供給体の供給路を開閉する開閉手段と、記憶媒体に記憶された度数等の記憶値の読み込みや書き換えを行う読取手段と、外部からの信号を授受する外部入力手段とを有する供給制御システムにおいて、
制御手段は、外部入力手段からの入力に応じて供給制御機能の有効と無効を切り換えることができるようになっている。
【０００９】
請求項２に係る発明は、供給体の供給量を計測し積算するとともに、供給体の供給路を開閉する計測装置と、この計測装置の供給量の制御を行う制御装置と、供給体の使用可能量に相当する度数等の値を記憶した記憶媒体とからなり、
計測装置は、供給体の供給量を検出する供給量検出手段と、この供給量検出手段が検出した供給量の積算を行う計量制御手段と、制御装置との通信を行う通信手段と、供給路を開閉する開閉手段とを有し、
制御装置は、記憶媒体に記憶された記憶値の読み込みまたは書き換えを行う読取手段と、計測装置との通信を行う通信手段と、該通信手段および読取手段を制御する制御手段とを有する供給制御システムにおいて、
計測装置は、外部からの設定により供給制御機能の有効と無効を切り換えることができるようになっている。
【００１０】
請求項３に係る発明は、供給体の供給量を計測し積算するとともに、供給体の供給路を開閉する計測装置と、この計測装置の供給量の制御を行う制御装置と、供給体の使用可能量に相当する度数等の値を記憶した記憶媒体とからなり、
計測装置は、供給体の供給量を検出する供給量検出手段と、この供給量検出手段が検出した供給量の積算を行う計量制御手段と、該計量制御手段の積算情報を制御装置へ送信する通信を行う通信手段と、供給路を開閉する開閉手段とを有し、
制御装置は、記憶媒体に記憶された記憶値の読み込みまたは書き換えを行う読取手段と、計測装置との通信を行う通信手段と、該通信手段および読取手段を制御する制御手段とを有する供給制御システムにおいて、
計測装置は、外部からの設定により、制御装置への積算情報出力機能の有効と無効を切り換えることができるようになっている。
【００１１】
請求項４に係る発明は、供給体の供給量を計測し積算するとともに、供給体の供給路を開閉する計測装置と、この計測装置の供給量の制御を行う制御装置と、供給体の使用可能量に相当する値を記憶した記憶媒体とからなり、
計測装置は、供給体の供給量を検出する供給量検出手段と、この供給量検出手段が検出した供給量の積算等を行う計量制御手段と、制御装置との通信を行う通信手段と、供給路を開閉する開閉手段とを有し、
制御装置は、記憶媒体に記憶された記憶値の読み込みまたは書き換えを行う読取手段と、計測装置との通信を行う通信手段と、該通信手段および読取手段を制御する制御手段とを有する供給制御システムにおいて、
計測装置は、通信線の断線を検出する断線検出手段を有し、この断線検出手段が断線を検出したときは、開閉手段により供給路を遮断できる断線検知遮断機能を有するとともに、その断線検知遮断機能の有効と無効を外部からの設定により切り換えることができるようになっている。
【００１２】
【発明の実施の形態】
次に、この発明の実施の形態を図面にしたがって詳細に説明する。
【００１３】
図１は、この発明の第１の実施形態のシステム構成を示す。この供給制御システムは、ガスや水や温水や電気等の供給体の供給路を開閉する開閉手段１と、供給体の供給量を検出する供給量検出手段２と、供給体の使用可能量に相当する度数を記憶した磁気カードやＩＣカード等の記憶媒体４と、記憶媒体４に記憶された度数の読み込みや書き換えを行う読取手段５と、制御手段３と、スイッチや通信回線など外部からの制御信号を入力する外部入力手段６とから構成される。
【００１４】
制御手段３は、この読取手段５により読み出した度数を記憶したり、供給量検出手段２が検出した供給量を積算したり、その積算値と度数とを比較演算し、あらかじめ設定された度数以下であれば、供給路を閉じ、設定度数以上であれば供給路を開くように、開閉手段１を制御する。
【００１５】
この第１の実施形態において、外部入力手段６にたとえば設定器を接続し、制御手段３と通信することにより、制御手段３のプリペイド式供給制御機能の有効と無効を切り換えることができるようになっている。なお、通信に代えて、スイッチ等で切り換えるようにしてもよい。
【００１６】
プリペイド式供給制御機能を有効とした場合には、あらかじめ度数が書き込まれている記憶媒体４を読取手段５に挿入すると、その度数を読取手段５が読み取る。制御手段３は、読取手段５にて読み取った度数が十分にあれば、開閉手段１を制御して供給路を開き、供給体の供給を行う。
【００１７】
さらに、制御手段３は、供給量検出手段２にて検出された供給量を積算し、供給量に応じた度数を減じる。このとき、残度数があらかじめ設定された度数、たとえば０になったとき、開閉手段１にて供給路を閉じて供給を停止する。
【００１８】
一方、プリペイド式供給制御機能を無効とした場合には、記憶媒体４を読取手段５に挿入しても、制御手段３はこれを無視して記憶媒体４の内容を変えない。さらに、制御手段３は、供給量検出手段２が流量を検出しても度数減算を行わず、度数があらかじめ設定された度数、たとえば０であっても、開閉手段１にて供給路を閉じることはしない。
【００１９】
次に、図２は、第２の実施形態を示す。この供給制御システムは、ガスや水や温水や電気等の供給体の供給量を計測し積算するとともに、供給体の供給路を開閉する計測装置Ａと、この計測装置Ａの供給量の制御を行う制御装置Ｂと、供給体の使用可能量に相当する度数を記憶した磁気カードやＩＣカード等の記憶媒体４とからなる。
【００２０】
計測装置Ａは、供給体の供給量を検出する供給量検出手段２と、この供給量検出手段２が検出した供給量に応じて度数の減算等を行う計量制御手段７と、制御装置Ｂとの通信を行う通信手段８と、計量制御手段７にて制御されて供給路を開閉する開閉手段１とを有する。
【００２１】
また、計測装置Ａは、その通信手段８にたとえば設定器を接続して計量制御手段７と通信することにより、該計量制御手段７のプリペイド式供給制御機能の有効と無効を切り換えることができるようになっている。なお、通信に代えて、スイッチ等で切り換えるようにしてもよく、また通信手段８とは別の通信手段から切り換え信号を入力できるようにしてもよい。
【００２２】
制御装置Ｂは、記憶媒体４に記憶された度数の読み込みまたは書き換えを行う読取手段５と、計測装置Ａとの通信を行う通信手段９と、該通信手段９および読取手段５を制御する制御手段１０とを有する。
【００２３】
第２の実施形態において、計測装置Ａのプリペイド式供給制御機能を有効とした場合には、あらかじめ度数が書き込まれている記憶媒体４を読取手段５に挿入すると、制御手段１０は、記憶媒体４が有効であるかどうか判断し、有効であれば、その度数を読取手段５にて読み取って通信手段９にて計測装置Ａへ度数情報を送る。
【００２４】
計測装置Ａの計量制御手段７は、度数が十分にあれば、開閉手段１を制御して供給路を開き、供給体の供給を行う。さらに、計量制御手段７は、供給量検出手段２が検出した供給量を積算し、供給量に応じた度数を減ずる。このとき、度数があらかじめ設定された度数、たとえば０になると、開閉手段１にて供給路を閉じる。
【００２５】
一方、計測装置Ａのプリペイド式供給制御機能を無効とした場合には、あらかじめ度数が書き込まれている記憶媒体４を読取手段５に挿入すると、制御手段１０は、記憶媒体４が有効であるかどうか判断し、有効であれば、その度数を読取手段５にて読み取って通信手段９にて計測装置Ａへ度数情報を送る。
【００２６】
しかし、計測装置Ａは、プリペイド式供給制御機能を無効にされているため、送られたきた度数情報を無視、またはプリペイド式供給制御機能が無効となっている旨の応答をする。さらに、プリペイド式供給制御機能を無効とする設定をした時点で、計測装置Ａに度数が残っていた場合において、供給量検出手段２が流量を検出しても、計量制御手段７は度数減算を行わず、度数があらかじめ設定された度数、たとえば０であっても、開閉手段１にて供給路を閉じることはしない。
【００２７】
次に、第３の実施形態を同じく図２を用いて説明する。この供給制御システムは、ガスや水や温水や電気等の供給体の供給量を計測し積算するとともに、供給体の供給路を開閉する計測装置Ａと、この計測装置Ａの供給量の制御を行う制御装置Ｂと、供給体の使用可能量に相当する度数を記憶した磁気カードやＩＣカード等の記憶媒体４とからなる。
【００２８】
計測装置Ａは、供給体の供給量を検出する供給量検出手段２と、この供給量検出手段２が検出した供給量の積算等を行う計量制御手段７と、該計量制御手段７の積算情報等を制御装置Ｂへ送信する等の通信を行う通信手段８と、計量制御手段７にて制御されて供給路を開閉する開閉手段１とを有する。
【００２９】
また、計測装置Ａは、その通信手段８にたとえば設定器を接続して計量制御手段７と通信することにより、該計量制御手段７の積算情報出力機能の有効と無効を切り換えることができるようになっている。なお、通信に代えて、スイッチ等で切り換えるようにしてもよく、また通信手段８とは別の通信手段から切り換え信号を入力できるようにしてもよい。
【００３０】
制御装置Ｂは、記憶媒体４に記憶された度数の読み込みまたは書き換えを行う読取手段５と、計測装置Ａからその通信手段８を通じて積算値を読み出したり供給路の開閉指令を送信する通信手段９と、該通信手段９および読取手段５を制御する制御手段１０とを有する。
【００３１】
第３の実施形態において、計測装置Ａの積算情報出力機能を有効とした場合には、あらかじめ度数が書き込まれている記憶媒体４を読取手段５に挿入すると、制御手段１０は、記憶媒体４が有効であるかどうか判断し、有効であれば、その度数を読取手段５にて読み取って内部メモリに記憶し、度数が十分にあれば、供給路を開き、または開くことを許可する指令を通信手段９から計測装置Ａへ送る。
【００３２】
計測装置Ａの計量制御手段７は、制御装置Ｂから供給路を開き、または開くことを許可する指令を受け取ると、開閉手段１を制御して供給路を開き、供給体の供給を行う。または、図示していないが、使用者がスイッチなどを操作することにより、供給路を開き、供給体の供給を行う。さらに、計量制御手段７は、供給量検出手段２が検出した供給量を積算し、供給量に応じた積算情報、たとえばパルス信号などを通信手段８から制御装置Ｂへ送る。
【００３３】
制御装置Ｂの制御手段１０は、計測装置Ａからの積算情報に基づき度数を減算し、残度数があらかじめ設定された度数、たとえば０になると、計測装置Ａへ供給路を閉じる指令を送る。計測装置Ａの計量制御手段７は、この指令に従い開閉手段１にて供給路を閉じる。
【００３４】
一方、計測装置Ａの積算情報出力機能を無効とした場合には、計測装置Ａの計量制御手段７は、供給量検出手段２が供給体の供給量を検出しても、供給量に応じた出力、たとえばパルス信号などを通信手段８から制御装置Ｂへ出力しない。
【００３５】
次に、図３は、第４の実施形態を示す。この供給制御システムは、ガスや水や温水や電気等の供給体の供給量を計測し積算するとともに、供給体の供給路を開閉する計測装置Ａ´と、この計測装置Ａ´の供給量の制御を行う制御装置Ｂと、供給体の使用可能量に相当する度数を記憶した磁気カードやＩＣカード等の記憶媒体４とからなる。
【００３６】
計測装置Ａ´は、供給体の供給量を検出する供給量検出手段２と、この供給量検出手段２が検出した供給量の積算を行う計量制御手段７と、制御装置Ｂとの通信を行う通信手段８と、計量制御手段７にて制御されて供給路を開閉する開閉手段１と、制御装置Ｂとの通信線の断線を検出する断線検出手段１１とを有する。
【００３７】
また、計測装置Ａ´は、その通信手段８にたとえば設定器を接続して、計量制御手段７と通信することにより、断線検出手段１１が断線を検出した場合における、計量制御手段７の断線検知遮断機能を有効とするか無効とするかを切り換えることができるようになっている。なお、通信に代えて、スイッチ等で切り換えるようにしてもよく、また通信手段８とは別の通信手段から切り換え信号を入力できるようにしてもよい。
【００３８】
制御装置Ｂは、記憶媒体４に記憶された度数の読み込みまたは書き換えを行う読取手段５と、計測装置Ａ´からその通信手段８を通じて積算値を読み出したり供給路の開閉指令を送信したりする通信手段９と、該通信手段９および読取手段５を制御する制御手段１０とを有する。
【００３９】
第４の実施形態において、計測装置Ａ´の断線検知遮断機能を有効とした場合には、あらかじめ度数が書き込まれている記憶媒体４を読取手段５に挿入すると、制御手段１０は、記憶媒体４が有効であるかどうか判断し、有効であれば、その度数を読取手段５にて読み取って内部メモリに記憶し、度数が十分にあれば、供給路を開き、または開くことを許可する指令を通信手段９から計測装置Ａ´へ送る。
【００４０】
計測装置Ａ´の計量制御手段７は、制御装置Ｂから供給路を開き、または開くことを許可する指令を受け取ると、開閉手段１を制御して供給路を開き、供給体の供給を行う。または、図示していないが、使用者がスイッチなどを操作することにより、供給路を開き、供給体の供給を行う。
【００４１】
制御装置Ｂの制御手段１０は、計測装置Ａ´から供給体の供給量情報を適時読み出して度数を減算し、残度数があらかじめ設定された度数、たとえば０になると、計測装置Ａ´へ供給路を閉じる指令を送る。計測装置Ａ´の計量制御手段７は、この指令に従い開閉手段１にて供給路を閉じる。
【００４２】
ここで、計測装置Ａ´は、断線検出手段１１にて制御装置Ｂとの間の通信線の断線の有無を監視しており、断線を検出したときは、計量制御手段７にて開閉手段１を制御して供給路を自動的に閉じる。
【００４３】
一方、計測装置Ａ´の断線検知遮断機能を無効とした場合には、計測装置Ａ´は、断線検出手段１１にて制御装置Ｂとの間の通信線の断線を検出しても、供給体の供給を停止しない。
【００４４】
【発明の効果】
請求項１に係る発明によれば、ガスや水などの供給体の供給量に応じた値を減算し、その値が０または規定度数以下の場合には、供給体の供給を停止するプリペイド式供給制御機能を有し、このプリペイド式供給制御機能の有効と無効とを外部入力手段からの入力に応じて切り換えることができるので、これを無効とすることにより、プリペイド用途以外、たとえば一般のガスメータや水道メータとして使用することも可能になる。
【００４５】
請求項２に係る発明によれば、計測装置と制御装置とに分離し、計測装置が、ガスや水などの供給体の供給量に応じた値を減算し、その値が０または規定度数以下の場合には、供給体の供給を停止するプリペイド式供給制御機能を有し、このプリペイド式供給制御機能の有効と無効とを外部からの設定により切り換えることができるので、これを無効とすることにより、プリペイド用途以外、たとえば一般のガスメータや水道メータとして使用することも可能になる。
【００４６】
請求項３に係る発明によれば、計測装置と制御装置とに分離し、計測装置が、積算情報を制御装置に出力する機能を有し、この積算情報出力機能の有効と無効とを外部からの設定により切り換えることができるので、これを無効とすることにより、プリペイド用途以外、たとえば一般のガスメータや水道メータとして使用する場合には、省電力化が可能となる。
【００４７】
請求項４に係る発明によれば、計測装置と制御装置とに分離し、計測装置が、制御装置との間を通信線の断線の有無を監視する機能を有し、この断線監視機能の有効と無効とを外部からの設定により切り換えることができるので、これを無効とすることにより、プリペイド用途以外、たとえば一般のガスメータや水道メータとして使用することも可能になる。
【図面の簡単な説明】
【図１】この発明の第１の実施形態のシステム構成を示すブロック図である。
【図２】第２および第３の実施形態のシステム構成を併せて示すブロック図である。
【図３】第４の実施形態のシステム構成を示すブロック図である。
【符号の説明】
Ａ・Ａ´    計測装置
Ｂ    制御装置
１    開閉手段
２    供給量検出手段
３    制御手段
４    記憶媒体
５    読取手段
６    外部入力手段
７    計量制御手段
８    通信手段
９    通信手段
１０    制御手段
１１    断線検出手段
【図１】
0004136142.tif 000002
【図２】
0004136142.tif 000003
【図３】
0004136142.tif 000004